(57)【要約】【課題】サンバイザを大きく上方に回動させるものに比べて、作業者によるサンバイザの出退動作を容易に行うことができるコンバインを提供する。【解決手段】圃場の穀物を刈取って脱穀するコンバイン１であって、脱穀した穀粒を穀粒タンク９において一時的に貯留し、排出口１０から袋に穀粒を排出して袋詰めするコンバイン１であって、穀粒を袋詰め作業をするときに作業者の日除けとなるサンバイザ２０と、サンバイザ２０を支持する支持部材３０と、を備え、サンバイザ２０は、収納位置から使用位置、または、使用位置から収納位置、に移動可能に構成され、支持部材３０は、収納位置から使用位置にサンバイザ２０を移動させる動作、または、使用位置から収納位置にサンバイザ２０を移動させる動作が直線的となるようにサンバイザ２０を支持するものである。【選択図】図１
2018117552.tif 000002
【特許請求の範囲】
【請求項１】
圃場の穀物を刈取って脱穀し、脱穀した穀粒を穀粒タンクにおいて一時的に貯留し、排出口から袋に穀粒を排出して袋詰めする、コンバインであって、
前記穀粒を袋詰め作業をするときに作業者の日除けとなるサンバイザと、前記サンバイザを支持する支持部と、を備え、
前記サンバイザは、収納位置から使用位置、または、使用位置から収納位置、に移動可能に構成され、
前記支持部は、収納位置から使用位置に前記サンバイザを移動させる動作、または、使用位置から収納位置に前記サンバイザを移動させる動作が直線的となるように前記サンバイザを支持する、
コンバイン。
【請求項２】
前記サンバイザを使用位置に固定するロック部を備える、
請求項１に記載のコンバイン。
【請求項３】
前記ロック部は、前記サンバイザの使用位置において前記サンバイザが上方に傾斜した姿勢で固定されるように構成される、
請求項２に記載のコンバイン。
【請求項４】
穀粒を袋詰め作業をするときに作業者が凭れる背凭れを備え、
前記背凭れは、収納位置から使用位置、または、使用位置から収納位置、に移動可能に構成され、前記背凭れを収納位置とするときには、前記サンバイザが収納位置から使用位置に移動できないように収納位置に配置される前記サンバイザの位置を保持可能に構成される、
請求項１から請求項３のいずれか一項に記載のコンバイン。
【発明の詳細な説明】
【技術分野】
【０００１】
本発明は、圃場の穀物を刈取って脱穀し、脱穀した穀粒を穀粒タンクにおいて一時的に貯留し、排出口から袋に穀粒を排出して袋詰めするコンバインの技術に関する。
【背景技術】
【０００２】
従来、コンバインに関する技術は種々知られている。
また、前記コンバインには、圃場の穀物を刈取って脱穀し、脱穀した穀粒を穀粒タンクにおいて一時的に貯留し、排出口から袋に穀粒を排出して袋詰めするものがある（特許文献１参照）。前記コンバインは、作業者が立つ作業デッキ、作業者が凭れる背凭れ、および、フレームに幌が設けられて作業者の日除けとなるサンバイザ等を備える。
前記のサンバイザは、収納位置から使用位置、または、使用位置から収納位置、に移動可能に構成される。前記サンバイザは、収納位置では、穀粒タンクの上方に配置され、使用位置では、穀粒タンクの外側に幌が張出した状態となる。
【先行技術文献】
【特許文献】
【０００３】
【特許文献１】特開２０１０−３５４２５号公報
【発明の概要】
【発明が解決しようとする課題】
【０００４】
しかしながら、前記コンバインでは、サンバイザの基端部に回動軸が設けられて、サンバイザの出退動作（サンバイザを収納位置から使用位置、または、使用位置から収納位置、に移動させる動作）を行うときに、サンバイザを大きく上方に回動させることを要するものがある。
このため、前記コンバインでは、サンバイザの出退動作を行うときに、例えば、作業者が、腕を上方に高く上げること、または、背伸びをすること等を要し、作業者によるサンバイザの出退動作が億劫なものとなり労力を要する場合があった。
【０００５】
本発明は以上の如き状況に鑑みてなされたものであり、サンバイザを大きく上方に回動させるものに比べて、作業者によるサンバイザの出退動作を容易に行うことができるコンバインを提供することを課題とする。
【課題を解決するための手段】
【０００６】
本発明の解決しようとする課題は以上の如くであり、次にこの課題を解決するための手段を説明する。
【０００７】
即ち、請求項１においては、圃場の穀物を刈取って脱穀し、脱穀した穀粒を穀粒タンクにおいて一時的に貯留し、排出口から袋に穀粒を排出して袋詰めする、コンバインであって、前記穀粒を袋詰め作業をするときに作業者の日除けとなるサンバイザと、前記サンバイザを支持する支持部と、を備え、前記サンバイザは、収納位置から使用位置、または、使用位置から収納位置、に移動可能に構成され、前記支持部は、収納位置から使用位置に前記サンバイザを移動させる動作、または、使用位置から収納位置に前記サンバイザを移動させる動作が直線的となるように前記サンバイザを支持するものである。
【０００８】
請求項２においては、前記サンバイザを使用位置に固定するロック部を備えるものである。
【０００９】
請求項３においては、前記ロック部は、前記サンバイザの使用位置において前記サンバイザが上方に傾斜した姿勢で固定されるように構成されるものである。
【００１０】
請求項４においては、穀粒を袋詰め作業をするときに作業者が凭れる背凭れを備え、前記背凭れは、収納位置から使用位置、または、使用位置から収納位置、に移動可能に構成され、前記背凭れを収納位置とするときには、前記サンバイザが収納位置から使用位置に移動できないように収納位置に配置される前記サンバイザの位置を保持可能に構成されるものである。
【発明の効果】
【００１１】
本発明の効果として、以下に示すような効果を奏する。
即ち、本発明によれば、コンバインのサンバイザを大きく上方に回動させるものに比べて、作業者によるサンバイザの出退動作を容易に行うことができる。
【図面の簡単な説明】
【００１２】
【図１】本発明の実施形態に係るコンバインの全体的な構成を示す後方斜視図。
【図２】同じくコンバインを示す背面図。
【図３】同じくコンバインを示す背面図。
【図４】同じくコンバインの穀粒タンクとサンバイザと支持部とロック部とを示す斜視図。
【図５】同じくコンバインの穀粒タンクの上部を示す拡大斜視図。
【図６】同じくコンバインのサンバイザの移動する状態を示す図。
【図７】同じくコンバインのサンバイザの移動する状態を示す図。
【図８】同じくコンバインのサンバイザの移動する状態を示す図。
【図９】同じくコンバインのサンバイザの移動する状態を示す図。
【図１０】同じくコンバインのサンバイザの移動する状態を示す図。
【図１１】同じくコンバインの支持部とロック部とを示す図。
【図１２】同じくコンバインの支持部とロック部とを示す図。
【図１３】同じくコンバインの支持部とロック部とを示す図。
【図１４】同じくコンバインの穀粒タンクとサンバイザと支持部とロック部とを示す斜視図。
【図１５】同じくコンバインの穀粒タンクの上部を示す拡大背面図。
【図１６】同じくコンバインの穀粒タンクとサンバイザと支持部とロック部とを示す斜視図。
【図１７】同じくコンバインの穀粒タンクの上部を示す拡大斜視図。
【図１８】同じくコンバインのサンバイザの移動する状態を示す図。
【図１９】同じくコンバインのサンバイザの移動する状態を示す図。
【図２０】同じくコンバインの支持部とロック部とを示す拡大図。
【図２１】同じくコンバインのサンバイザの移動する状態を示す図。
【図２２】同じくコンバインの支持部とロック部とを示す拡大図。
【図２３】同じくコンバインの穀粒タンクとサンバイザと支持部とロック部とを示す斜視図。
【図２４】同じくコンバインのサンバイザの移動する状態を示す図。
【図２５】同じくコンバインのサンバイザの移動する状態を示す図。
【発明を実施するための形態】
【００１３】
次に、図１から図１５に記載のコンバイン１について説明する。
なお、図中に示す白色矢印は、以下においてコンバイン１のサンバイザ２０の移動方向を示すものとして説明する。
【００１４】
コンバイン１は、動力となるエンジンを機体内に配置し、稲や麦や蕎麦や小豆や大豆等の種々の収穫物（穀物）を収穫する。
図１から図５に示すように、コンバイン１は、機体フレーム２と、走行装置３と、刈取装置４と、脱穀装置５と、操縦部６と、穀粒タンク９と、を備える。
【００１５】
コンバイン１の機体フレーム２は、コンバイン１の骨格を成すものである。走行装置３は、左右一対からなるローラ式の走行装置３であり、機体フレーム２の下部に配置される。刈取装置４は、機体フレーム２の前部に配置され、圃場の未刈取の穀物を刈取る。刈取装置４は、往復動する刈刃、および未刈取の穀物を掻き込むための掻込装置等を備える。脱穀装置５は、機体フレーム２の左方に配置され、刈取った穀物を脱穀する。脱穀装置５は、扱胴、受け網、および選別装置等を備える。操縦部６は、機体フレーム２の右方の前部に配置される。操縦部６は、オペレータが着座するための座席、およびコンバイン１の操向操作及び収穫作業に用いる種々の操作具等を備える。エンジンは、操縦部６の後方のエンジンルームに配置される。
【００１６】
コンバイン１の穀粒タンク９は、機体の右側後部に配置される。
穀粒タンク９は、排出口１０を備え、脱穀した穀粒を一時的に貯留し、排出口１０から袋に穀粒を排出して袋詰めするものである。穀粒タンク９は、穀粒を袋に排出するとき、または、穀粒の排出が不要なとき（例えば、袋を交換するとき）等、適宜、作業者がシャッターを操作することによって排出口１０の開閉を行えるように構成される。
また、コンバイン１は、作業デッキ１１と、背凭れ１２と、サンバイザ２０と、支持部３０と、ロック部４０と、を備える。
【００１７】
コンバイン１の作業デッキ１１は、穀粒を袋詰め作業をするときに作業者が立つ板状に構成される部材である。
作業デッキ１１は、穀粒タンク９また排出口１０の下方に配置される。作業デッキ１１は、上下方向に回動可能に構成され、作業デッキ１１を使用しないとき（作業デッキ１１を収納位置とするとき）には、上方に回動させた状態とする。作業デッキ１１は、作業デッキ１１を使用するときには（作業デッキ１１を使用位置とするとき）には、下方に回動させた状態とする。
【００１８】
コンバイン１の背凭れ１２は、作業デッキ１１上において穀粒を袋詰め作業をするときに、作業者が凭れる部材である。
背凭れ１２は、略Ｌ字状に形成された一対の棒状の部材であり、それぞれの一端が機体中央側に向き、それぞれの他端が互いに向き合うように配置される。
背凭れ１２は、それぞれの一端部が排出口１０の外側に配置され、一端部の回動軸を中心に上下方向に回動可能に構成される。背凭れ１２の屈曲する部分から他端までの部分は、籾袋詰め作業をするときに作業者が凭れる背凭れ部１３として構成される。
背凭れ１２は、収納位置（背凭れ１２の収納位置）から使用位置（背凭れ１２の使用位置）、または、使用位置から収納位置、に移動可能（回動可能）に構成される。背凭れ１２は、背凭れ１２を使用しないとき（背凭れ１２を収納位置とするとき）には、上方に回動させて、背凭れ部１３を穀粒タンク９に近接させて上方を向いた状態とする。背凭れ１２は、背凭れ１２を使用するときには（背凭れ１２を使用位置とするとき）には、下方に回動させて背凭れ部１３が穀粒タンク９よりも側方に張出した状態とする。
【００１９】
コンバイン１のサンバイザ２０は、穀粒を袋詰め作業をするときに作業者の日除けとなる部材である。サンバイザ２０は、フレーム２１に幌２２が設けられて構成されて、穀粒タンク９の上部に取付けられる。サンバイザ２０は、収納位置から使用位置、または、使用位置から収納位置、に移動可能に構成される。サンバイザ２０を使用しないとき（サンバイザ２０を収納位置とするとき）には、穀粒タンク９の上方に配置される。サンバイザ２０を使用するとき（サンバイザ２０を使用位置とするとき）には、穀粒タンク９よりもサンバイザ２０の幌２２が側方に張出した状態とする。
【００２０】
図４から図５に示すように、コンバイン１の支持部３０は、サンバイザ２０を穀粒タンク９に取付け可能に構成され、サンバイザ２０（サンバイザ２０のフレーム２１）を支持する。支持部３０は、穀粒タンク９の上面に配置される。
支持部３０は、サンバイザ２０の出退動作（収納位置から使用位置にサンバイザ２０を移動させる動作、または、使用位置から収納位置にサンバイザ２０を移動させる動作）が直線的となるように（サンバイザ２０が上方に大きく回動しないように）、サンバイザ２０を支持する。
支持部３０は、サンバイザ２０のフレーム２１の機体外側端部を把持した状態で収納位置から使用位置に移動可能にサンバイザ２０を支持する。支持部３０は、穀粒タンク９の上面と並行するように収納位置から使用位置に移動可能にサンバイザ２０を支持する。
支持部３０は、サンバイザ２０のフレーム２１の機体外側端部を把持した状態で使用位置から収納位置に移動可能にサンバイザ２０を支持する。支持部３０材は、穀粒タンク９の上面と並行するように収納位置から使用位置に移動可能にサンバイザ２０を支持する。
支持部３０は、一対の取付部材３１と、一対の支持部材３２と、一対の台部材３３と、を備える。
【００２１】
コンバイン１の支持部３０の取付部材３１は、略板状の部材であり、穀粒タンク９の上面において、前側縁部と後側縁部とにそれぞれ立設するように配置される。
【００２２】
コンバイン１の支持部３０の支持部材３２は、それぞれの取付部材３１の内側にそれぞれ配置される。支持部３０の前方の支持部材３２はサンバイザ２０のフレーム２１の前部を支持し、後方の支持部材３２はサンバイザ２０のフレーム２１の後部を支持する。
支持部３０の支持部材３２の上部は、平板状の部材が略コ字状（Ｕ字状）に形成され、支持部材３２の下部は、平板状に形成されて構成される。
支持部３０の支持部材３２の上部と取付部材３１の内側の面との間に形成された略筒状の空間に、サンバイザ２０のフレーム２１が貫挿される。支持部３０の支持部材３２は、支持部材３２の上部において、サンバイザ２０の出退動作の時にサンバイザ２０（サンバイザ２０のフレーム２１）が直線的に移動（スライド）可能なようにサンバイザ２０のフレーム２１を支持する。
支持部３０の支持部材３２は、支持部材３２の下部において回動ピン３４を介して取付部材３１に取り付けられ、回動ピン３４を中心に上下に回動可能に構成される。
【００２３】
コンバイン１の支持部３０の台部材３３は、板状の部材であり、それぞれの取付部材３１の内側にそれぞれ配置される。支持部３０の台部材３３は、支持部材３２よりも機体中央側（支持部材３２の機体中央側縁部）に配置される。支持部３０の台部材３３は、サンバイザ２０が収納位置に配置されるときに、台部材３３の上面にサンバイザ２０のフレーム２１の下面が当接してサンバイザ２０のフレーム２１が載置されるものである。支持部３０の前方の台部材３３にはサンバイザ２０のフレーム２１の前部が載置され、後方の台部材３３にはサンバイザ２０のフレーム２１の後部が載置される。
支持部３０の台部材３３は、平板状の部材を略Ｌ字状に形成して構成され、一端が下方を向き、他端が機体中央側を向くように配置される。支持部３０の台部材３３の屈曲する部分から一端までの部分は、外側部として構成され、台部材３３の屈曲する部分から他端までの部分は、上部として構成される。支持部３０の台部材３３の外側部は、台部材３３の上部の機体外側縁部から下方に突出して、台部材３３の上部の下方の機体外側の空間を閉じるように構成される。支持部３０の台部材３３の上部の上面には、サンバイザ２０の収納位置においてフレーム２１が当接して載置される。
支持部３０の台部材３３は、サンバイザ２０が収納位置に配置されて支持部３０の台部材３３の上部（支持部３０の台部材３３の上面）にサンバイザ２０のフレーム２１が当接した状態では、サンバイザ２０のフレーム２１が穀粒タンク９の上面に当接しないように（サンバイザ２０のフレーム２１と穀粒タンク９の上面とが略並行となるように）構成される。
【００２４】
コンバイン１のロック部４０は、サンバイザ２０を使用位置（サンバイザ２０を使用位置に移動させた状態）に固定する。ロック部４０は、サンバイザ２０の使用位置において、外側端部が若干上方に傾斜（穀粒タンク９の上面に対して例えば略１０度傾斜）した姿勢でサンバイザ２０が固定されるように構成される。
ロック部４０は、一対のロック体４１と、一対の当接体４２と、を備える。ロック部４０は、サンバイザ２０を使用位置に移動させた状態において、当接体４２がロック体４１に当接して引掛った状態とすることによって、サンバイザ２０を使用位置に固定する。
【００２５】
コンバイン１のロック部４０のロック体４１は、支持部３０のそれぞれの取付部材３１の内側にそれぞれ配置される。ロック部４０のロック体４１は、支持部３０の支持部材３２の近傍に配置される。ロック部４０のロック体４１は、支持部３０の支持部材３２よりも上方且つ機体中央側に配置される。ロック部４０のロック体４１は、支持部３０の台部材３３よりも機体外側に配置される。
ロック部４０のロック体４１は、平板状の部材を略Ｌ字状に形成して構成され、一端が機体外側上方を向き、他端が機体中央側下方を向くように配置される。ロック部４０のロック体４１の屈曲する部分から一端までの部分は、上部として構成され、ロック部４０のロック体４１の屈曲する部分から他端までの部分は、下部として構成される。ロック部４０のロック体４１の内側の面（上部と下部とのそれぞれの内側の面）には、サンバイザ２０の使用位置においてロック部４０の当接体４２が当接して引掛る。
ロック部４０のロック体４１は、サンバイザ２０がその使用位置において若干上方に傾斜（穀粒タンク９の上面に対して傾斜）した姿勢で固定されるように、ロック部４０のロック体４１の上部が水平に対して傾斜（穀粒タンク９の上面に対して傾斜）するように配置される。
【００２６】
コンバイン１のロック部４０の当接体４２は、サンバイザ２０のフレーム２１の前部およびフレーム２１の後部のそれぞれの機体中央側端部近傍に配置される。ロック部４０の当接体４２は、支持部３０の支持部材３２よりも機体中央側に配置される。ロック部４０の当接体４２は、正面視略正四角形の平板状の部材であり、サンバイザ２０のフレーム２１から上方に突出するように配置される。
ロック部４０の当接体４２の上面と機体中央側の面の一部とが、サンバイザ２０の使用位置においてロック部４０のロック体４１に当接して引掛る。
【００２７】
次に、作業者によってコンバイン１のサンバイザ２０を収納位置から使用位置に移動させる動作について説明する。
背凭れ１２を下方に回動させて使用位置とした状態において、作業者がサンバイザ２０のフレーム２１の機体外側端部を把持して、収納位置に配置されるサンバイザ２０（サンバイザ２０のフレーム２１）を、機体外側に引出すようにして直線的に（穀粒タンク９の上面と並行するように）移動させる。このとき、ロック部４０のロック体４１を支持部３０の台部材３３よりも機体外側に移動させて、ロック部４０のロック体４１の下部と当接体４２の機体外側の面とが当接するまで、サンバイザ２０のフレーム２１を移動させ、穀粒タンク９よりも外側にサンバイザ２０の幌２２が突出するように配置する（図６または図７参照）。
次に、支持部３０の支持部材３２とともにサンバイザ２０のフレーム２１を若干上方に回動させて傾斜させる（図８参照）。
次に、ロック部４０の当接体４２が支持部３０の支持部材３２に当接してロック部４０の当接体４２がロック体４１の下方に位置するように、傾斜した状態のサンバイザ２０のフレーム２１をさらに外側に移動させる（図９参照）。
次に、支持部３０の支持部材３２とともにサンバイザ２０のフレーム２１を若干下方に回動させて、ロック部４０の当接体４２をロック体４１に当接させて引っ掛るように配置して、サンバイザ２０を使用位置に固定する（図１０参照）。
このようにして、作業者によってサンバイザ２０を収納位置から使用位置に移動させる動作を行う。
【００２８】
次に、作業者によってコンバイン１のサンバイザ２０を使用位置から収納位置に移動させる動作について説明する。
作業者がサンバイザ２０のフレーム２１の機体外側端部を把持して、使用位置に配置されるサンバイザ２０（サンバイザ２０のフレーム２１）を支持部３０の支持部材３２とともに若干上方に回動させて、ロック部４０の当接体４２がロック体４１に当接させて引っ掛った状態（使用位置にサンバイザ２０が固定された状態）を解消する。
次に、ロック部４０の当接体４２がロック体４１よりも機体中央側に位置するように、サンバイザ２０のフレーム２１を機体中央側に押込むようにして移動させる。
次に、ロック部４０の当接体４２がロック体４１よりも機体中央側に位置した状態で、（穀粒タンク９の上面と並行）になるように支持部３０の支持部材３２とともにサンバイザ２０のフレーム２１を若干上方に回動させる。
次に、支持部３０の台部材３３の上部の上面をスライドするようにサンバイザ２０のフレーム２１を機体中央側に移動させて、サンバイザ２０のフレーム２１および幌２２が穀粒タンク９よりも外側に突出しないように配置する。
このようにして、作業者によってサンバイザ２０を使用位置から収納位置に移動させる動作を行う。
【００２９】
以上のように、支持部３０の支持部材３２は、サンバイザ２０の出退動作（収納位置から使用位置にサンバイザ２０を移動させる動作、または、使用位置から収納位置にサンバイザ２０を移動させる動作）が直線的となるようにサンバイザ２０を支持する、コンバイン１では、サンバイザ２０の出退動作（サンバイザ２０の出退動作時における、ロック部４０によってサンバイザ２０を使用位置に固定する動作以外の動作、または、ロック部４０によって使用位置に固定された状態を解除する動作以外の動作）が直線的となるようにサンバイザ２０が支持されることから、サンバイザ２０の出退動作を行うときに、サンバイザ２０を大きく上方に回動させることを要さない。
このため、前記コンバイン１では、サンバイザ２０の出退動作を行うときに、例えば、作業者が、腕を上方に高く上げること、または、背伸びをすること等を要さずに、サンバイザ２０の出退動作を行うことができる。
したがって、コンバイン１によれば、サンバイザ２０を大きく上方に回動させるものに比べて、作業者によるサンバイザ２０の出退動作を容易に行うことができる。
また、コンバイン１によれば、出退動作が直線的となるようにサンバイザ２０が支持されることから、狭い倉庫にコンバイン１が格納された状態でもサンバイザ２０の出退動作を行うことができる。
【００３０】
以上のように、ロック部４０がサンバイザ２０を使用位置に固定するコンバイン１では、サンバイザ２０の出退動作が直線的となるように構成されるものであっても、例えば、コンバイン１の走行中に、意図せずに、サンバイザ２０が使用位置から収納位置に移動することを防止することができる。
【００３１】
以上のように、ロック部４０が、サンバイザ２０の使用位置においてサンバイザ２０が上方に傾斜した姿勢で固定されるように構成される、コンバイン１では、サンバイザ２０の使用位置においてサンバイザ２０が上方に傾斜した姿勢で固定されることから、例えば、サンバイザ２０の下方にいる作業者の頭部がサンバイザ２０（サンバイザ２０の幌２２）に接触すること、または、サンバイザ２０に頭部が当接してしまう作業者が屈んだ状態で穀粒の袋詰め作業を行うこと等を回避することができる。
【００３２】
以上のように、ロック部４０は、支持部３０に配置されるロック部４０のロック体４１と、サンバイザ２０のフレーム２１から突出するロック部４０の当接体４２と、を備え、サンバイザ２０を使用位置に移動させた状態において、ロック部４０の当接体４２がロック体４１に当接して引掛ることによってサンバイザ２０を使用位置に固定する、コンバイン１では、ロック部４０の当接体４２がロック体４１に当接して引掛ることによってサンバイザ２０を使用位置に固定することから、サンバイザ２０を使用位置に固定することができるものを簡易な構成で実現することができる。
【００３３】
以上のように、ロック部４０の当接体４２が、支持部３０の支持部材３２よりも機体中央側において、サンバイザ２０のフレーム２１から上方に突出するように配置される、コンバイン１では、サンバイザ２０のフレーム２１が、支持部３０の支持部材３２（支持部材３２の上部と取付部材３１の内側の面との間に形成された略筒状の空間）に貫挿されて支持された状態から機体外側に移動していくと、ロック部４０の当接体４２が支持部３０の支持部材３２に当接する。
このため、コンバイン１では、サンバイザ２０を使用状態とするときに、支持部材３２に貫挿されたサンバイザ２０のフレーム２１が当該支持部３０の支持部材３２から脱落することを防止することができる。
【００３４】
以上のように、サンバイザ２０が収納位置に配置されるときに、サンバイザ２０のフレーム２１が穀粒タンク９の上面に当接しないように載置される支持部３０の台部材３３を備えるコンバイン１では、サンバイザ２０が収納位置に配置されるときに、サンバイザ２０のフレーム２１が穀粒タンク９の上面に当接することによって、穀粒タンク９が破損する虞を回避することができる。
【００３５】
以上のように、支持部３０の台部材３３の外側部が、台部材３３の上部の機体外側縁部から下方に突出して、台部材３３の上部の下方の機体外側の空間を閉じるように構成される、コンバイン１では、サンバイザ２０を使用位置から収納位置に移動させるときに、ロック部４０の当接体４２がロック体４１に当接させて引っ掛った状態を解消させた後、サンバイザ２０のフレーム２１が穀粒タンク９の上面と並行になっていない状態で機体中央側にサンバイザ２０のフレーム２１を移動させると、サンバイザ２０のフレーム２１の機体中央側端部が台部材３３の外側部に当接して、サンバイザ２０のフレーム２１の機体中央側への移動ができなくなる。
したがって、コンバイン１では、サンバイザ２０を使用位置から収納位置に移動させるときに、サンバイザ２０のフレーム２１が、穀粒タンク９の上面と並行になっていない状態で機体中央側に移動した場合に、台部材３３の上部の下方に入り込むことを防止することができる。
【００３６】
コンバイン１の背凭れ１２は、背凭れ１２を使用しないとき（背凭れ１２を収納位置とするとき）には、サンバイザ２０が収納位置から使用位置に移動できないように、収納位置に配置されるサンバイザ２０の位置を保持可能に構成される（図２参照）。
背凭れ１２は、サンバイザ２０を収納位置に配置した状態で背凭れ１２を収納位置とした状態では、背凭れ部１３が、サンバイザ２０（サンバイザ２０のフレーム２１）の外側近傍において、サンバイザ２０が収納位置から使用位置に移動する移動経路上に位置するように構成される。背凭れ１２は、サンバイザ２０を収納位置に配置した状態で背凭れ１２を収納位置とした状態では、背凭れ部１３が穀粒タンク９の近傍の外側且つ上方に位置して、収納位置から使用位置にサンバイザ２０（サンバイザ２０のフレーム２１）が移動しようとするサンバイザ２０（サンバイザ２０のフレーム２１）に背凭れ部１３が当接するように構成される。
【００３７】
以上のように、背凭れ１２が、背凭れ１２を収納位置とするときには、サンバイザ２０が収納位置から使用位置に移動できないように、収納位置に配置されるサンバイザ２０の位置を保持可能に構成される、コンバイン１では、サンバイザ２０が収納位置から使用位置に移動できないように、収納位置に配置されるサンバイザ２０の位置を背凭れ１２が保持することから、収納位置から使用位置に意図せずにサンバイザ２０が移動する（飛び出す）ことを防止することができる。
【００３８】
以上のように、サンバイザ２０を収納位置に配置した状態で背凭れ１２を収納位置とした状態では、背凭れ１２の背凭れ部１３が、サンバイザ２０の外側近傍において、サンバイザ２０が収納位置から使用位置に移動する移動経路上に位置するように構成される、コンバイン１では、サンバイザ２０を収納位置に配置した状態で背凭れ１２を収納位置とした状態では、収納位置から使用位置に移動しようとするサンバイザ２０が背凭れ１２の背凭れ部１３に当接して、サンバイザ２０が収納位置から使用位置に移動できない。
したがって、コンバイン１では、収納位置から使用位置に意図せずにサンバイザ２０が移動することを防止することができるものを簡易な構成で実現することができる。
【００３９】
コンバイン１の支持部３０の取付部材３１は、複数個（三個）の固定孔３５を備え、ロック部４０のロック体４１は、固定孔４３を備える。
支持部３０の取付部材３１の複数個の固定孔３５から選択された一つの固定孔３５とロック部４０のロック４１の固定孔４３とに取付ピン等の固定具４４が嵌装されることによって、ロック部４０のロック体４１が、支持部３０の取付部材３１に固定されて取付けられる。支持部３０の取付部材３１の複数個の固定孔３５は、固定具４４が嵌装される固定孔３５毎に、支持部３０の取付部材３１に取付けられるロック部４０のロック体４１の位置または傾斜角度等がそれぞれ異なるように構成される。
ロック部４０のロック体４１は、固定具４４が嵌装される支持部３０の取付部材３１の固定孔３５を選択して、支持部３０の取付部材３１に取付けられるロック部４０のロック体４１の位置または傾斜角度等を変更することによって、サンバイザ２０の使用位置における傾斜角度を変更可能に構成される。
【００４０】
コンバイン１では、例えば、支持部３０の取付部材３１の上方から二個目の固定孔３５を選択してロック部４０のロック体４１を取付部材３１に取付けた場合には、サンバイザ２０の使用位置において、サンバイザ２０（サンバイザ２０の幌２２）が穀粒タンク９の上面に対して略８度傾斜した姿勢となる。
また例えば、支持部３０の取付部材３１の最も下方の固定孔３５を選択してロック部４０のロック体４１を取付部材３１に取付けた場合には、サンバイザ２０の使用位置において、サンバイザ２０が穀粒タンク９の上面に対して略１５度傾斜した姿勢となる。
また例えば、支持部３０の取付部材３１の最も上方の固定孔３５を選択してロック部４０のロック体４１を取付部材３１に取付けた場合には、サンバイザ２０の使用位置において、サンバイザ２０が穀粒タンク９の上面に対して略０度（穀粒タンク９の上面と並行）の姿勢となる。
【００４１】
以上のように、サンバイザ２０の使用位置における傾斜角度を変更可能に構成される、コンバイン１では、例えば、サンバイザ２０の下方において穀粒を袋に詰める作業を行う作業者の身長や日照角度等に合わせて、サンバイザ２０がより確実に日よけとして機能するように、サンバイザ２０の使用位置における傾斜角度を適宜選択して変更することができる。
【００４２】
コンバイン１のサンバイザ２０のフレーム２１は、主フレーム２３と、補強フレーム２４と、補助フレーム２５と、を備える。
サンバイザ２０のフレーム２１の主フレーム２３は、略コ字状に形成された棒状の部材であり、両端が機体中央側を向くように配置される。フレーム２１の主フレーム２３は、支持部３０の支持部材３２の上部と取付部材３１の内側の面との間に形成された略筒状の空間に貫挿されて、サンバイザ２０の出退動作の時に直線的に移動可能なように支持される。
サンバイザ２０のフレーム２１の補強フレーム２４は、主フレーム２３を補強して拗れることを防止する。補強フレーム２４は、主フレーム２３の機体外側部分と並行するように、主フレーム２３の前側部分と後側部分とに亘って複数本（二本）配置される。
サンバイザ２０のフレーム２１の補助フレーム２５は、主フレーム２３（主フレーム２３の前側部または後側部）が撓むことを防止する。補強フレーム２４は、一対からなり、主フレーム２３の前側部分または後側部分に沿ってそれぞれ配置される。フレーム２１の補助フレーム２５の機体中央側端部は、主フレーム２３の機体中央側端部に固定され、補助フレーム２５の機体外側端部は、主フレーム２３の機体外側部に固定される。
【００４３】
以上のように、サンバイザ２０のフレーム２１が補強フレーム２４または補助フレーム２５を備えることによって、サンバイザ２０の出退動作の際に、サンバイザ２０の主フレーム２３が拗れることまた撓むこと等によって変形することを防止することができる。
なお、サンバイザ２０のフレーム２１は、比較的剛性が高く且つ軽量な素材（例えば、アルミ素材や樹脂素材等）で構成されることが好ましい。また、サンバイザ２０のフレーム２１が補強フレーム２４は、主フレーム２３の前側部分と後側部分とに亘って交差するようにして複数本（二本）配置する構成とすることもできる。
【００４４】
また、図１４または図１５に示すように、コンバイン１は、一対のフレーム台１４を備える構成とすることもできる。
フレーム台１４は、板状の部材であり、穀粒タンク９の上面において、前側縁部と後側縁部とにそれぞれ立設するように配置される。フレーム台１４は、穀粒タンク９の上面の機体中央側縁部近傍に配置される。フレーム台１４は、サンバイザ２０が収納位置に配置されるときに、フレーム台１４にサンバイザ２０のフレーム２１の機体中央側端部の下面が当接してサンバイザ２０のフレーム２１の機体中央側端部が載置されるものである。前方のフレーム台１４にはサンバイザ２０のフレーム２１の前部における機体中央側端部が載置され、後方のフレーム台１４にはサンバイザ２０のフレーム２１の後部における機体中央側端部が載置される。
フレーム台１４は、平板状の部材を略Ｌ字状に形成して構成され、一端が機体外側を向き、他端が上方を向くように配置される。フレーム台１４の屈曲する部分から他端までの部分は、上部として構成される。フレーム台１４の上部の上面（上端）には、サンバイザ２０の収納位置においてフレーム２１が当接して載置される。
フレーム台１４は、サンバイザ２０が収納位置に配置されてフレーム台１４の上部にサンバイザ２０のフレーム２１が当接した状態では、サンバイザ２０のフレーム２１が穀粒タンク９の上面に当接しないように（サンバイザ２０のフレーム２１と穀粒タンク９の上面とが略並行となるように）構成される。
【００４５】
以上のように、サンバイザ２０が収納位置に配置されるときに、サンバイザ２０のフレーム２１の機体中央側端部が載置されるフレーム台１４を備える、コンバイン１では、サンバイザ２０が収納位置に配置されるときに、フレーム台１４によってサンバイザ２０のフレーム２１の機体中央側端部を下方から支えるようにして、サンバイザ２０のフレーム２１を撓みにくくすることができる。
したがって、コンバイン１によれば、サンバイザ２０が収納位置に配置されるときに、サンバイザ２０のフレーム２１が撓んで穀粒タンク９の上面に当接して穀粒タンク９が破損する虞を回避することができ、また、サンバイザ２０のフレーム２１が長時間継続して撓んで変形するような状態を回避することができる。
【００４６】
次に、図１６から図２５に記載のコンバイン１について説明する。
【００４７】
図１６または図１７に示すように、コンバイン１は、穀粒タンク９、背凭れ１２と、サンバイザ２０と、支持部３０と、ロック部４０と、を備える。
【００４８】
コンバイン１の支持部３０の取付部材３１は、略板状の部材であり、穀粒タンク９の上面の外側端（側縁部）において、立設するように前端と後端とにそれぞれ配置される。
【００４９】
コンバイン１のロック部４０は、一対のロック体４１を備え、サンバイザ２０を使用位置に移動させた状態において、サンバイザ２０のフレーム２１（主フレーム２３）がロック部４０のロック体４１に当接することによって、サンバイザ２０を使用位置に固定する。
ロック部４０のロック体４１は、支持部３０のそれぞれの取付部材３１の内側に配置される。ロック体４１は、平板状の部材を略Ｌ字状に形成して構成され、ロック部４０のロック体４１の互いの一端が向き合うように配置され、他端が外側下方を向くように配置される。ロック部４０のロック体４１の屈曲する部分から一端までの部分は、上部として構成され、ロック部４０のロック体４１の屈曲する部分から他端までの部分は、下部として構成される。ロック部４０のロック体４１の上部の上面には、サンバイザ２０のフレーム２１）が当接して載置される。
ロック部４０のロック体４１は、サンバイザ２０の使用位置において若干上方に傾斜（穀粒タンク９の上面に対して傾斜）した姿勢でサンバイザ２０のフレーム２１が当接するように、ロック部４０のロック体４１の上部が水平に対して傾斜（穀粒タンク９の上面に対して傾斜）するように配置される。
【００５０】
サンバイザ２０のフレーム２１は、主フレーム２３と、回動フレーム２６と、を備える。
サンバイザ２０のフレーム２１の主フレーム２３は、略コ字状に形成された棒状の部材であり、両端が機体中央側を向くように配置される。
サンバイザ２０の回動フレーム２６は、機体中央側に二本、機体外側に二本、それぞれ配置される。
サンバイザ２０の回動フレーム２６は、その基端部が回動軸を介して支持部３０の取付部材３１に取付けられて、回動軸を中心に上下に回動可能に構成される。サンバイザ２０の回動フレーム２６の先端部は回動軸を介してサンバイザ２０の主フレーム２３の前側部分と後側部分に取付けられる。サンバイザ２０の回動フレーム２６は、サンバイザ２０の使用位置においてロック部４０のロック体４１に当接して載置される。
【００５１】
次に、作業者によってコンバイン１のサンバイザ２０を収納位置から使用位置に移動させる動作について説明する。
背凭れ１２を下方に回動させて使用位置とした状態において、収納位置に配置されるサンバイザ２０（サンバイザ２０のフレーム２１）を、上前方に回動させて移動させて、サンバイザ２０の幌２２が穀粒タンク９よりも外側に突出するように配置する。このとき、サンバイザ２０のフレーム２１（主フレーム２３）をロック部４０のロック体４１に当接させて載置するようにして、サンバイザ２０を使用位置とする。サンバイザ２０の使用位置では、サンバイザ２０のフレーム２１の回動フレーム２６の先端部が機体外側上方を向くように配置される（図１８または図１９参照）。
このようにして、作業者によってコンバイン１のサンバイザ２０を収納位置から使用位置に移動させる動作を行う。
【００５２】
次に、作業者によってコンバイン１のサンバイザ２０を使用位置から収納位置に移動させる動作について説明する。
使用位置に配置されるサンバイザ２０を、上後方に回動させて移動させて、サンバイザ２０のフレーム２１および幌２２が穀粒タンク９よりも外側に突出しないように配置して、サンバイザ２０の収納位置とする。サンバイザ２０の収納位置では、サンバイザ２０のフレーム２１の回動フレーム２６が穀粒タンク９の上面と並行するように（略水平に）配置され、回動フレーム２６の先端部が機体中央側を向くように配置される（図１８または図１９参照）。
このようにして、作業者によってコンバイン１のサンバイザ２０を使用位置から収納位置に移動させる動作を行う。
【００５３】
以上のように、ロック部４０が、サンバイザ２０の使用位置においてサンバイザ２０が上方に傾斜した姿勢で固定されるように構成される、コンバイン１では、サンバイザ２０の使用位置においてサンバイザ２０が上方に傾斜した姿勢で固定されることから、サンバイザ２０の下方にいる作業者の頭部がサンバイザ２０（サンバイザ２０の幌２２）に接触すること、または、サンバイザ２０に頭部が当接してしまう作業者が屈んだ状態で穀粒の袋詰め作業を行うこと等を、抑制することができる。
なお、サンバイザ２０のフレーム２１は、主フレーと回動クレームとに加えて、補強フレーム２４と補助フレーム２５とを備える構成とすることもできる。
【００５４】
図２０から図２２に示すように、支持部３０の取付部材３１は、複数個（二個）の固定孔３５を備える。ロック部４０のロック体４１は、固定孔４３を備える。
ロック部４０のロック体４１は、固定具４４が嵌装される支持部３０の取付部材３１の固定孔３５を選択して、支持部３０の取付部材３１に取付けられるロック部４０のロック体４１の位置または傾斜角度等を変更することによって、サンバイザ２０の使用位置における傾斜角度を変更可能に構成される。
【００５５】
コンバイン１では、例えば、支持部３０の取付部材３１の下方の固定孔３５を選択してロック部４０のロック体４１を取付部材３１に取付けた場合には、サンバイザ２０の使用位置において、サンバイザ２０（サンバイザ２０の幌２２）が穀粒タンク９の上面に対して略１５度傾斜した姿勢となる（図２０参照）。
また例えば、支持部３０の取付部材３１の上方の固定孔３５を選択してロック部４０のロック体４１を取付部材３１に取付けた場合には、サンバイザ２０が穀粒タンク９の上面に対してサンバイザ２０が略４５度傾斜した姿勢となる（図２２参照）。
【００５６】
以上のように、サンバイザ２０の使用位置における傾斜角度を変更可能に構成される、コンバイン１では、例えば、サンバイザ２０の下方において穀粒を袋に詰める作業を行う作業者の身長や日照角度等に合わせて、サンバイザ２０がより確実に日よけとして機能するように、サンバイザ２０の使用位置における傾斜角度を適宜選択して変更することができる。
【００５７】
また、図２３から図２５に示すように、コンバイン１は、一対のフレーム台１４を備える構成とすることもできる。
【００５８】
このように、フレーム台１４を備えるコンバイン１では、サンバイザ２０が収納位置に配置されるときに、フレーム台１４によってサンバイザ２０のフレーム２１の機体中央側端部を下方から支えるようにして、サンバイザ２０のフレーム２１を撓みにくくすることができる。
したがって、コンバイン１によれば、サンバイザ２０が収納位置に配置されるときに、サンバイザ２０のフレーム２１が撓んで穀粒タンク９の上面に当接して穀粒タンク９が破損する虞を回避することができ、また、サンバイザ２０のフレーム２１が長時間継続して撓んで変形するような状態を回避することができる。
【符号の説明】
【００５９】
１    コンバイン
２    機体フレーム
３    走行装置
４    刈取装置
５    脱穀装置
６    操縦部
９    穀粒タンク
１０  排出口
１１  作業デッキ
１２  背凭れ
１３  背凭れ部
２０  サンバイザ
２１  フレーム
２２  幌
３０  支持部
４０  ロック部
【図１】
2018117552.tif 000003
【図２】
2018117552.tif 000004
【図３】
2018117552.tif 000005
【図４】
2018117552.tif 000006
【図５】
2018117552.tif 000007
【図６】
2018117552.tif 000008
【図７】
2018117552.tif 000009
【図８】
2018117552.tif 000010
【図９】
2018117552.tif 000011
【図１０】
2018117552.tif 000012
【図１１】
2018117552.tif 000013
【図１２】
2018117552.tif 000014
【図１３】
2018117552.tif 000015
【図１４】
2018117552.tif 000016
【図１５】
2018117552.tif 000017
【図１６】
2018117552.tif 000018
【図１７】
2018117552.tif 000019
【図１８】
2018117552.tif 000020
【図１９】
2018117552.tif 000021
【図２０】
2018117552.tif 000022
【図２１】
2018117552.tif 000023
【図２２】
2018117552.tif 000024
【図２３】
2018117552.tif 000025
【図２４】
2018117552.tif 000026
【図２５】
2018117552.tif 000027